(57)【特許請求の範囲】
【請求項１】
レンズ鏡筒を通過した被写体光を撮像素子で電気信号に変換して記録する電子的撮像装置において、
上記レンズ鏡筒内に配置され、開口を閉鎖する位置と開口を開放する位置とに駆動されるシャッタ羽根と、
上記レンズ鏡筒内に配置され、光路内に進退自在に移動して光束を絞る絞り羽根と、
上記シャッタ羽根を駆動するためのシャッタ駆動源と、
上記絞り羽根を駆動する絞り駆動源と、
上記絞り羽根を所定位置に保持する絞り羽根保持手段と、
上記撮像素子による電荷蓄積に先立って上記絞り駆動源に電圧を印加して上記絞り羽根を光束を絞る位置に移動するよう駆動するとともに、上記撮像素子による電荷蓄積に先立って上記絞り駆動源に対する電圧印加を停止し上記絞り羽根保持手段により絞り羽根を保持し、上記撮像素子による電荷蓄積の終了後、上記シャッタ駆動源に第１の電圧を印加して上記シャッタ羽根を上記開口を閉鎖する位置に移動するよう駆動し、上記第１の電圧よりも低い電圧を上記シャッタ駆動源に印加して上記シャッタ羽根を上記開口を閉鎖する位置に保持したのちに、上記撮像素子の信号電荷転送を開始するように制御する制御手段と、
を具備したことを特徴とする電子的撮像装置。
【請求項２】
上記シャッタ駆動源は、ソレノイドと前記ソレノイドに対し突出した状態と当該ソレノイドに吸引された状態とを採りうる可動鉄心と、前記可動鉄心を突出方向に付勢する戻しバネとを有し、上記第１の電圧が印加されて上記戻しバネの付勢力に抗して上記可動鉄心を吸引することで上記シャッタ羽根を上記開口を閉鎖する位置に移動するよう駆動し、上記第２の電圧が印加されて上記可動鉄心を吸引状態に保持することで上記シャッタ羽根を上記開口を閉鎖する位置に保持し、電圧印加が停止されることで上記戻しバネの付勢力により上記シャッタ羽根を上記開口を開放する位置に移動するよう駆動することを特徴とする請求項１に記載の電子的撮像装置。
【請求項３】
上記絞り駆動源は、通電の極性に応じて動作方向の選択が可能な双方向電磁アクチュエータであり、
上記絞り羽根保持手段は、上記双方向電磁アクチュエータ内のヨークコイルを無励起状態にしたときにロータとヨーク間に生ずる静止保持トルクにより絞り羽根を保持する手段であり、
さらに、撮影時に上記双方向電磁アクチュエータへの通電によって上記絞り羽根を所定位置に移動させ、上記絞り羽根保持手段によって上記絞り羽根を所定位置に保持し上記双方向電磁アクチュエータへの通電を終了させた後、上記撮像素子の露光動作及び信号電荷転送動作を行うとともに、上記撮像素子の露光動作および信号電荷転送動作終了後に、上記絞り羽根を開放位置に移動させ、上記絞り羽根保持手段によって上記絞り羽根を開放位置に保持させるように上記制御手段により制御されることを特徴とする請求項１に記載の電子的撮像装置。
【発明の詳細な説明】
【０００１】
【発明の属する技術分野】
本発明は、レンズ鏡筒を通過した被写体光を撮像素子で電気信号に変換して記録する電子的撮像装置において、独立した絞り羽根とシャッタを備えた電子的撮像装置に関する。
【０００２】
【従来の技術】
従来の電子的撮像装置において、シャッタや絞りの羽根は、動作中は駆動用の電磁ソレノイドに連続的に通電して動作状態が保持されていた。その場合、通電を継続すると、当然ながら消費電力が増加する。さらに、その期間中、他の動作を同時に実行すると、電圧のピークが重なってしまうため、特に携帯用の電源の場合は、電圧降下を生じて、システムが停止してしまうおそれもあった。
【０００３】
そこで、本出願人は、先に特願平９−２４４３７７号において、撮像素子に照射される光束の量を機械的に調整する絞りと、撮像素子に照射される時間を機械的に調整するシャッタとがそれぞれ独立した羽根で構成され、それに各駆動源を加えた絞りシャッタ・ユニットを有する電子的撮像装置を提案している。この撮像装置では、絞り駆動源とシャッター駆動源の制御タイミングを調整することによって、同時通電状態をなくし、電池への負担を軽くし、電池寿命を延ばすようにしている。
【０００４】
【発明が解決しようとする課題】
上述の特願平９−２４４３７７号の電子的撮像装置は、各駆動源の同時駆動状態をなくしたことから電池寿命の増加には効果がある。しかしながら、装置本体の小型化や節電性の点で不十分であって、さらなる改善が望まれている。例えば、撮像素子・絞り・シャッタそれぞれの駆動時間およびタイミングを更に検討して、十分な節電が可能な装置の開発が望まれている。
【０００５】
本発明は、上記問題点を解決するためになされたもので、撮像素子動作中の絞り、および／または、シャッタの駆動源に対する十分な節電が可能な電子的撮像装置を提供することを目的とする。
【０００６】
本発明の第１の電子的撮像装置は、レンズ鏡筒を通過した被写体光を撮像素子で電気信号に変換して記録する電子的撮像装置において、上記レンズ鏡筒内に配置され、開口を閉鎖する位置と開口を開放する位置とに駆動されるシャッタ羽根と、上記レンズ鏡筒内に配置され、光路内に進退自在に移動して光束を絞る絞り羽根と、上記シャッタ羽根を駆動するためのシャッタ駆動源と、上記絞り羽根を駆動する絞り駆動源と、上記絞り羽根を所定位置に保持する絞り羽根保持手段と、上記撮像素子による電荷蓄積に先立って上記絞り駆動源に電圧を印加して上記絞り羽根を光束を絞る位置に移動するよう駆動するとともに、上記撮像素子による電荷蓄積に先立って上記絞り駆動源に対する電圧印加を停止し上記絞り羽根保持手段により絞り羽根を保持し、上記撮像素子による電荷蓄積の終了後、上記シャッタ駆動源に第１の電圧を印加して上記シャッタ羽根を上記開口を閉鎖する位置に移動するよう駆動し、上記第１の電圧よりも低い電圧を上記シャッタ駆動源に印加して上記シャッタ羽根を上記開口を閉鎖する位置に保持したのちに、上記撮像素子の信号電荷転送を開始するように制御する制御手段と、を具備したことを特徴とする。
【０００７】
本発明の第２の電子的撮像装置は、上記第１の電子的撮像装置において、上記シャッタ駆動源は、ソレノイドと前記ソレノイドに対し突出した状態と当該ソレノイドに吸引された状態とを採りうる可動鉄心と、前記可動鉄心を突出方向に付勢する戻しバネとを有し、上記第１の電圧が印加されて上記戻しバネの付勢力に抗して上記可動鉄心を吸引することで上記シャッタ羽根を上記開口を閉鎖する位置に移動するよう駆動し、上記第２の電圧が印加されて上記可動鉄心を吸引状態に保持することで上記シャッタ羽根を上記開口を閉鎖する位置に保持し、電圧印加が停止されることで上記戻しバネの付勢力により上記シャッタ羽根を上記開口を開放する位置に移動するよう駆動することを特徴とする。
【０００８】
本発明の第３の電子的撮像装置は、上記第１の電子的撮像装置において、上記絞り駆動源は、通電の極性に応じて動作方向の選択が可能な双方向電磁アクチュエータであり、上記絞り羽根保持手段は、上記双方向電磁アクチュエータ内のヨークコイルを無励起状態にしたときにロータとヨーク間に生ずる静止保持トルクにより絞り羽根を保持する手段であり、さらに、撮影時に上記双方向電磁アクチュエータへの通電によって上記絞り羽根を所定位置に移動させ、上記絞り羽根保持手段によって上記絞り羽根を所定位置に保持し上記双方向電磁アクチュエータへの通電を終了させた後、上記撮像素子の露光動作及び信号電荷転送動作を行うとともに、上記撮像素子の露光動作および信号電荷転送動作終了後に、上記絞り羽根を開放位置に移動させ、上記絞り羽根保持手段によって上記絞り羽根を開放位置に保持させるように上記制御手段により制御されることを特徴とする。
【００１０】
【発明の実施の形態】
以下、本発明の実施の形態を図に基づいて説明する。
図１は、本発明の一実施の形態である電子的撮像装置のブロック構成図である。本実施の形態の電子的撮像装置は、主にレンズ鏡筒２０に内蔵される撮影レンズ系１と、同じく上記レンズ鏡筒２０に内蔵され、被写体光の光束を絞る絞り装置２、および、被写体光の光束を遮蔽するメカニカルシャッタ装置３と、撮影レンズ系１により取り込まれた被写体像を電気信号に変換する撮像素子のＣＣＤ（イメージャ）４と、ＣＣＤ４の出力を取り込み、サンプルホールド等の撮像信号処理を施す撮像回路５と、撮像回路５より出力される映像信号をＡ／Ｄ変換するＡ／Ｄ変換回路６と、システムコントローラ１２により記録・読み出しがコントロールされ、Ａ／Ｄ変換回路６より出力されるデジタル映像信号を記憶するメモリ７と、メモリ７に記憶されたデジタル映像信号を読み出してＤ／Ａ変換するＤ／Ａ変換回路８と、Ｄ／Ａ変換回路８から出力される映像信号をモニタするＬＣＤモニタ９と、メモリ７に記憶されたデジタル映像信号を読み出し圧縮し、また、メモリカ−ド１１に記録されたデジタル映像信号を読み取り伸長する圧縮伸長回路１０と、デジタル映像信号が記録される着脱自在のメモリカ−ド１１と、本装置の全ての制御要素をコントロールする制御手段であるシステムコントローラ１２と、絞り装置２を駆動する絞り駆動源である絞りアクチュエータ３５と、メカニカルシャッタ装置３を駆動するシャッタ駆動源であるシャッタプランジャ３２と、絞りアクチュエータ３５のオンオフを制御する絞り制御回路１５と、シャッタプランジャ３２のオンオフを制御するシャッタ制御回路１４とで構成されている。
【００１１】
図２は、上記絞り装置２とメカニカルシャッタ装置３とその駆動源が組み込まれた絞り・シャッタ部の分解斜視図であり、図３は、絞り・シャッタ部の正面図であるが、セパレ−タを省略してを示している。
【００１２】
上記絞り・シャッタ部は、撮影レンズ開口３１ａを有する支持板３１と、支持板３１に取り付けられシャッタプランジャ３２および絞りアクチュエータ３５と、メカニカルシャッタ装置を構成し、支持板３１に回動自在に支持されるシャッタレバー３９およびシャッタ羽根３７，３８と、撮影レンズ開口４０ａを有するシャッタ羽根部と絞り部の分離用のセパレ−タ４０と、撮影レンズ開口４２ａと絞り羽根４１の摺動面を有する絞り羽根基台４２と、絞り装置を構成し、絞り羽根基台４２に回動自在に支持される絞り羽根４１とで構成されている。
【００１３】
なお、上記支持板３１には、シャッタレバー３９を回動自在に支持する支持ピン３１ｃと、シャッタ羽根３７，３８を軸穴３７ａ，３８ａにより回動自在に支持する支持ピン３１ｄ，３１ｅと、絞りアクチュエータ３５の出力軸３５ｃに固着された駆動レバー３６の駆動ピン３６ｂが挿通する開口部３１ｂが設けられている。なお、支持板３１に設けられる撮影レンズ開口３１ａの大きさは、レンズ絞り値として絞りＦ４とする。
【００１４】
上記シャッタプランジャ３２は、ソレノイド３２ａと、突出・吸引自在の可動鉄心３３と、その可動鉄心３３を突出方向に付勢する戻しバネ３４とからなっている。そして、可動鉄心３３には、シャッタレバー３９の駆動突起３９ｃが嵌入する溝部３３ｃが設けられている。上記ソレノイド３２ａに第１の電圧Ｖ1 を印加すると上記戻しバネ３４に抗して可動鉄心３３が吸引される。その後、ソレノイドへの印加電圧を第１の電圧Ｖ1 より低い第２の電圧Ｖ2 まで降下させたとしても可動鉄心３３の吸引状態は保持されるものとする。
【００１５】
シャッタレバー３９は、駆動突起３９ｃと駆動ピン３９ｂを有しており、その駆動ピン３９ｂは、シャッタ羽根３７および３８の長穴３７ｂ，３８ｂに嵌入している。可動鉄心３３が吸引された状態では上記シャッタレバー３９を介してシャッタ羽根３７，３８が撮影レンズ開口３１ａを閉鎖する位置まで回動駆動される。可動鉄心３３が突出した状態では、図３に示すようにシャッタ羽根３７，３８は撮影レンズ開口３１ａを開放する位置に回動する。
【００１６】
上記絞りアクチュエータ３５は、自己保持型双方向電磁アクチュエータであって、図４は、その内部の構造を示す模式的横断面図である。上記絞りアクチュエータ３５は、永久磁石からなるロータ３５ａと、４つのヨークコイルをもつヨーク３５ｂと、ロータ３５ａと一体の出力軸３５ｃと、上記出力軸に固着される突起３５ｄと、突起３５ｄと当接可能なストッパ３５ｅ，３５ｆとを有している。そして、出力軸３５ｃには、駆動ピン３６ｂを持つ駆動レバー３６が軸穴３６ａで固着されている。
【００１７】
上記絞りアクチュエータ３５は、ヨークコイルへのＡ相、または、Ｂ相パルス電圧の印加によりストッパ３５ｅ，３５ｆに突起３５ｄが当接する位置Ｐ35A 、または、Ｐ35B に回動駆動される。その後、ヨークコイルへの通電が絶たれた場合、ロータ３５ａの磁気吸引力によりある所定の自己保持トルクで位置Ｐ35A 、または、Ｐ35B に静止保持される。
【００１８】
絞り羽根４１は、所定の絞り値、例えば、Ｆ８の絞り開口４１ｃを有しており、絞り羽根基台４２の支持ピン４２ｂにより軸穴４１ａを介して回動自在に支持されている。そして、絞りアクチュエータ３５の駆動レバー３６の駆動ピン３６ｂが絞り羽根４１の長穴４１ｂに嵌入している。そして、図５の絞り羽根動作状態図に示すように、上記絞り羽根４１は、撮影レンズ開口３１ａの周部分を覆った絞りＦ８の状態となる回動位置Ｐ41A と、撮影レンズ開口３１ａ上から退避した絞りＦ４の状態となる回動位置Ｐ41B 間を絞りアクチュエータ３５により回動駆動される。
【００１９】
また、上記絞り羽根４１には、上記回動位置Ｐ41A ，Ｐ41B にあるとき、絞り羽根保持機構である絞り羽根基台４２に設けられた突起部４２ｃと、この突起部４２ｃが嵌入可能なクリック穴４１ｄ，４１ｅとが設けられている。突起部４２ｃがクリック穴４１ｄ，４１ｅに嵌入することによって絞り羽根４１が所定の静止保持トルクで上記回動位置に保持される。なお、この保持力は、前記絞りアクチュエータ３５の位置Ｐ35A 、または、Ｐ35B での自己保持トルクと協動して絞り羽根４１を保持するように作用する。
【００２０】
上述のように絞り羽根４１が回動位置Ｐ41A ，Ｐ41B にあるとき、絞りアクチュエータ３５のヨークコイルへの印加電圧が切られた無励起状態で、もし、絞り羽根４１に衝撃力が作用したとしても、上記静止保持トルクによって絞り羽根４１は上記回動位置に確実に保持される。
【００２１】
ここで、絞り羽根４１を上記回動位置Ｐ41A ，Ｐ41B に保持するための上記クリックボールによる絞り羽根保持機構の変形例について説明する。図６は、その変形例としてトグルバネ機構を適用した絞り羽根保持機構の作用図である。本変形例においては、駆動レバー３６にピン３６ｃを設け、引張りバネ４５を上記ピン３６ｃと絞りアクチュエータ３５の本体間に懸架する。この引張りバネ４５のトグル作用力によって、駆動レバー３６が絞り羽根４１の回動位置Ｐ41A ，Ｐ41B に対応する回動位置Ｐ35A またはＰ35B に保持される。
本変形例によると、絞り羽根保持用の突起やクリック穴等を設ける必要がなく、構成が簡単になり、占有スペ−スも少なくなる。
【００２２】
次に、前述のように構成された本実施の形態の電子的撮像装置における撮影動作、特に、絞り・シャッタ開閉動作と撮像信号の取り込み動作タイミングについて説明する。
【００２３】
撮影レンズ光学系１と絞り装置２とメカニカルシャッタ装置３を通過した被写体の光束は、ＣＣＤ４上に結像し、そこで電気信号に変換され、その後、Ａ／Ｄ変換以下の処理が施され、映像信号としてＬＣＤモニタ９に出力され、被写体の映像が表示される。一方、上記映像信号は、圧縮処理後、メモリカード１１上に記録される。また、メモリカード１１に記録されている映像信号は、伸長処理されて取り込まれ、上記ＬＣＤモニタ９に表示される。
【００２４】
図７，８は、上述のＣＣＤ４で電気的撮像信号（被写体像の電気信号）を読み出す際の絞り装置とシャッタ装置の動作のタイムチャ−トであり、図７がプログレッシブタイプのＣＣＤを適用した場合をを示し、図８がインターレースタイプのＣＣＤを適用した場合を示している。
【００２５】
図７のプログレッシブタイプのＣＣＤを適用した場合から説明すると、撮影を開始するに当たって絞りアクチュエータ３５の電圧オフで、駆動レバー３６を位置Ｐ35B 、絞り羽根４１を絞り開放状態（Ｆ４）の回動位置Ｐ41B に保持する。このとき、絞り羽根４１は、そのクリック穴４１ｄに突起部４２ｃが嵌入しているので、レンズ鏡筒２０操作による外力等が作用したとしても上記回動位置からずれてしまうことがない。
【００２６】
一方、シャッタプランジャ３２のソレノイド電圧もオフの状態で、可動鉄心３３が突出位置にあり、シャッタ羽根３７，３８をレンズ開放位置Ｐ37B ，Ｐ38B に保持した状態とする。この状態では撮影レンズ開口３１ａは絞り開放のＦ４の状態にありファインダによる観察がやりやすくなっている。なお、本タイムチャ−トの場合、撮影時には絞りＦ８にセットされるものとして説明する。
【００２７】
まず、絞りアクチュエータ３５へＡ相電圧パルスを印加して絞り羽根４１を絞り（Ｆ８）位置Ｐ41A に回動させる。回動後は、絞りアクチュエータ３５へ印加電圧はオフとする。このとき、絞り羽根４１は、そのクリック穴４１ｅに突起部４２ｃが嵌入し、保持状態にあるので、撮影の期間中、絞りが変化することがない。その後、ＣＣＤシャッタのオンによりＣＣＤ４の露光を開始する。
【００２８】
所定の露光時間経過後、ＣＣＤシャッタをオフとして、露光を終了させる。そこで、シャッタプランジャ３２のソレノイド３２ａに第１の電圧Ｖ1 を所定のパルス幅時間印加し、可動鉄心３３を吸引させる。その直後、ソレノイド３２ａ印加電圧を第１の電圧より低い第２の電圧Ｖ2 に降下させて、可動鉄心３３の吸引状態を保持する。上記可動鉄心３３の吸引によりシャッタ羽根３７，３８は、開放位置Ｐ37B ，Ｐ38B から撮影レンズ開口３１ａの完全閉鎖位置に駆動される。なお、このようにＣＣＤ信号電荷転送前にシャッタ羽根３７，３８を閉鎖するのは、信号電荷転送中のスミア対策として行うものである。
【００２９】
上記撮影レンズ開口３１ａの閉鎖後、ＣＣＤ４に蓄積された１フレーム分の信号電荷を転送を開始する。所定時間後、上記信号電荷の転送が終了した時点で、シャッタプランジャ３２のソレノイド３２ａへの第２の電圧Ｖ2 の印加を停止し、可動鉄心３３を開放してシャッタ羽根３７，３８をもとの開放位置Ｐ37B ，Ｐ38Bに戻し、さらに、絞りアクチュエータ３５へＢ相電圧パルスを印加して絞り羽根４１を初期の絞り開放（Ｆ４）位置Ｐ41A に戻し、撮影を終了する。
【００３０】
次に、図８のインターレースタイプのＣＣＤを適用した場合について説明するが、撮影を開始時の絞り羽根，シャッタ羽根の状態からＣＣＤシャッタによる露光開始までの状態の変化は図７のプログレッシブタイプの場合と同一である。このインターレースタイプのＣＣＤの場合、奇数フィールドと偶数フィールドとに分けて信号電荷転送を行うので、シャッタ羽根３７，３８を閉じて露光時間を設定する必要があり、このシャッタ羽根を３７，３８を閉じて露光を終了させた後、奇数フィールドと偶数フィールドの信号電荷転送を行う。
【００３１】
すなわち、ＣＣＤシャッタのオン期間中、シャッタプランジャ３２のソレノイド３２ａに第１の電圧Ｖ1 を所定のパルス幅時間印加し、可動鉄心３３を吸引する。その直後、ソレノイド３２ａ印加電圧を第１の電圧より低い第２の電圧Ｖ2 に保持し、可動鉄心３３の吸引状態を保持する。上記可動鉄心３３の吸引によりシャッタ羽根３７，３８は、撮影レンズ開口３１ａの完全閉鎖位置に駆動され、保持される。
【００３２】
その後、ＣＣＤの奇数フィールド、続いて、偶数フィールドの信号電荷転送が実行される。上記転送終了後、図７の場合と同様にシャッタプランジャ３２のソレノイド３２ａへの第２の電圧Ｖ2 の印加を停止し、可動鉄心３３を開放してシャッタ羽根３７，３８をもとの開放位置Ｐ37B ，Ｐ38Bに戻し、さらに、絞りアクチュエータ３５へＢ相電圧パルスを印加して絞り羽根４１を初期の絞り開放（Ｆ４）位置Ｐ41B に戻し、撮影を終了する。
【００３３】
以上、説明したように本実施の形態の電子的撮像装置によれば、消費電力が比較的大きくなるＣＣＤ４の信号電荷転送中、シャッタプランジャ３２のソレノイド印加電圧を吸引時の第１の電圧Ｖ1 より低い第２の電圧Ｖ2 として保持するように制御するので、撮影に要する電力が節電できると同時に、信号電荷転送に要する電力消費と重なる状態で消費されるソレノイドの駆動電力が減少し、電池寿命を延ばすことができる。
【００３４】
また、絞り羽根４１を絞り羽根基台４２の突起４２ｃにより絞り開放位置と絞り位置に保持するようにしたので、その保持期間中、絞りアクチュエータ３５での電力消費はなく、また、ＣＣＤ４の露光，電荷転送動作期間中には絞りアクチュエータ３５はオフ状態になっており、電力の供給先が重なることがなく電力消費が抑えられる。
【００３５】
また、絞りアクチュエータ３５として２つの回動状態に自己保持できる双方向電磁アクチュエータを採用し、さらに、アクチュエータ自体の自己保持機能に加えて基台の突起部４２ｃと羽根のクリック穴４１ｄ，４１ｅによる絞り羽根機構を設けたので、絞り羽根の位置制御が確実にしかも容易に行うことができ、絞り装置の小型化が実現できる。
【００３６】
【発明の効果】
上述のように本発明の請求項１記載の電子的撮像装置によれば、シャッタ駆動源の印加電圧を低くしてシャッタ羽根遮蔽状態を保持した状態で、撮像素子の信号電荷転送動作が行われるので、節電が可能になり、さらに、印加電圧が重複しないことから、電池寿命を延ばすこともできる。
【００３７】
本発明の請求項２記載の電子的撮像装置によれば、請求項１記載の電子的撮像装置の効果に加えて、絞り羽根保持手段を設けたことにより撮像素子の動作中の絞り駆動源への通電が不要になるので、印加電圧の重複が回避できる。
【００３８】
本発明の請求項３に記載の電子的撮像装置によれば、請求項２記載の電子的撮像装置の効果に加えて、絞り装置駆動源として双方向電磁アクチュエータを適用したので、絞り羽根の双方向移動と保持を容易に行うことができ、さらに、撮像素子の露光時と信号電荷転送時に上記双方向電磁アクチュエータをオフ状態にしたので、電力の消費を抑えることができる。
【００３９】
本発明の請求項４に記載の電子的撮像装置によれば、請求項３記載の電子的撮像装置の効果に加えて、絞り羽根を絞り位置に保持するために双方向電磁アクチュエータの自己保持機能に加えて、機械的で簡単な絞り羽根保持機構を適用したので、絞り装置を小型化を損うことなく、絞り羽根を安定した状態で保持することができる。
【図面の簡単な説明】
【図１】本発明の一実施の形態を示す電子的撮像装置の主要ブロック構成図。
【図２】図１の電子的撮像装置に適用される絞り・シャッタ部の展開斜視図。
【図３】図２の絞り・シャッタ部の正面図。
【図４】図１の電子的撮像装置に適用される絞りアクチュエータの内部の構造を示す模式的横断面図。
【図５】図２の絞り・シャッタ部の絞り装置の動作状態を示す図。
【図６】図５の絞り装置の変形例の動作状態図。
【図７】図１の電子的撮像装置において、ＣＣＤがプログレッシブタイプである場合のＣＣＤの電気的撮像信号読み出し動作のタイムチャ−ト。
【図８】図１の電子的撮像装置において、ＣＣＤがインターレースタイプである場合のＣＣＤの電気的撮像信号読み出し動作のタイムチャ−ト。
【符号の説明】
４  ……ＣＣＤ（撮像素子）
１２  ……システムコントローラ（制御手段）
３２  ……シャッタプランジャ（シャッタ駆動源）
３５  ……絞りアクチュエータ
（絞り駆動源，絞り羽根保持手段，
絞り装置）
３５ａ……ロータ
３５ｂ……ヨーク
３７，３８
……シャッタ羽根（シャッタ装置）
３９  ……シャッタレバー（シャッタ装置）
４１  ……絞り羽根（絞り装置）
４２ｃ……突起部（絞り羽根保持機構，
絞り装置）
Ｖ1   ……第１の電圧
Ｖ2   ……第２の電圧
【図１】
0004034412.tif 000002
【図２】
0004034412.tif 000003
【図３】
0004034412.tif 000004
【図４】
0004034412.tif 000005
【図５】
0004034412.tif 000006
【図６】
0004034412.tif 000007
【図７】
0004034412.tif 000008
【図８】
0004034412.tif 000009